(57)【要約】      （修正有）【課題】スレート瓦の表面に補修板を被せて平板スレート屋根の補修を行うものにおいて、簡単な作業で見栄えを良くする補修構造、補修方法、及び補修用谷板を提供する。【解決手段】谷部の延びる方向に交差する方向の両側で対向する補修板２０の各谷側端を覆うように各補修板２０に跨って谷部上で被せられる矩形板状の谷板３０を備え、谷板３０は、その軒側端部に下面側で棟側に折り返されてスレート瓦１０及び補修板の軒側端部を包み込む矩形の折返部３１が形成されており、また、棟側端部に棟側のスレート瓦１０と軒側のスレート瓦１０との隙間に挿入して固定されるように延長された矩形の延長部３２が形成されており、折返部３１又は延長部３２の先端側で対向する角部には、補修板２０の端部に係合する折曲片３３を備える。【選択図】図１７
2020200615.tif 000002
【特許請求の範囲】
【請求項１】
棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、
複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられている平板スレート屋根の補修構造であって、
スレート瓦の上に面合せで重ねて固定され、スレート瓦を覆う補修板と、
前記谷部の延びる方向に交差する方向の両側で対向する前記補修板の各谷側端を覆うように前記各補修板に跨って前記谷部上で前記谷部に沿って被せられる矩形板状の谷板と
を備え、
前記谷板は、その軒側端部に、下面側で棟側に折り返されてスレート瓦及び前記補修板の軒側端部を包み込む矩形の折返部が形成されており、また、棟側端部に、互いに重ねられた棟側のスレート瓦の軒側端部と軒側のスレート瓦の棟側端部との隙間に挿入して固定されるように延長された矩形の延長部が形成されており、
前記谷板の折返部又は前記延長部の先端側で対向する角部には、スレート瓦又は前記補修板の端部に係合する係合片を備える
平板スレート屋根の補修構造。
【請求項２】
請求項１において、
前記補修板は、その軒側端部に、下面側で棟側に折り返されてスレート瓦の軒側端部を包み込む矩形の折返部が形成されており、
前記谷板における前記折返部の先端側で対向する角部には、前記補修板の折返部の棟側端部に係合するように上面側に突出する係合片を備える
平板スレート屋根の補修構造。
【請求項３】
請求項１又は２において、
前記係合片は、前記谷板の折返部又は前記延長部の先端側で対向する角部を斜めに折り曲げて形成された三角形の折曲片である
平板スレート屋根の補修構造。
【請求項４】
請求項１又は２において、
前記係合片は、前記谷板の折返部又は前記延長部の先端側で対向する角部を部分的に切り起こして形成された切起片である
平板スレート屋根の補修構造。
【請求項５】
棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、
複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられている平板スレート屋根の補修方法であって、
スレート瓦の上にスレート瓦を覆う補修板を面合せで重ねて固定し、
前記谷部の延びる方向に交差する方向の両側に位置する前記補修板の各谷側端を覆うように前記各補修板に矩形板状の谷板を跨って前記谷部上に前記谷部に沿って被せ、
前記谷板の軒側端部に、下面側で棟側に折り返されて形成された矩形の折返部によりスレート瓦及び前記補修板の軒側端部を包み込み、また、棟側端部を延長して形成された矩形の延長部を、互いに重ねられた棟側のスレート瓦の軒側端部と軒側のスレート瓦の棟側端部との隙間に挿入して固定し、
前記谷板の折返部又は前記延長部の先端側で対向する角部に備えた係合片を、スレート瓦又は前記補修板の端部に係合する
平板スレート屋根の補修方法。
【請求項６】
棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、
複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられており、スレート瓦の上を覆って補修板が面合せで重ねて固定されている平板スレート屋根の谷部の補修用谷板であって、
前記谷部の延びる方向に交差する方向の両側で対向する前記補修板の各谷側端を覆うように前記各補修板に跨って前記谷部上で前記谷部に沿って被せられる矩形板状の谷板本体を備え、
前記谷板本体は、その軒側端部に、下面側で棟側に折り返されてスレート瓦及び前記補修板の軒側端部を包み込む矩形の折返部が形成されており、また、棟側端部に、互いに重ねられた棟側のスレート瓦の軒側端部と軒側のスレート瓦の棟側端部との隙間に挿入して固定されるように延長された矩形の延長部が形成されており、
前記谷板の折返部又は前記延長部の先端側で対向する角部には、スレート瓦又は前記補修板の端部に係合する係合片を備える
平板スレート屋根の補修用谷板。
【発明の詳細な説明】
【技術分野】
【０００１】
本発明は、平板スレート屋根の補修構造、補修方法、並びに補修用谷板に関する。
【背景技術】
【０００２】
劣化した平板スレート屋根の補修法の一つとして、平板スレート屋根の表面に金属板（以下、補修板という）を接着して被せる方法がある（特許文献１参照）。平板スレート屋根は、棟側から軒側に向けて高さを漸次低くするように傾斜した屋根に対し、複数枚の平板状のスレート瓦が、軒側から棟側に向けて各スレート瓦の端部の一部を面合せで重ねた状態で順次敷設されている。従って、棟側のスレート瓦は、その軒側端部が軒側のスレート瓦の棟側端部の上に重ねられている。この各スレート瓦の表面に補修板を接着固定して補修を行っている。このとき、補修板の軒側端部は、下面側で棟側に折り返されていて、その折返部によりスレート瓦の軒側端を包み込むように折返部が当該スレート瓦とその下面側に位置するスレート瓦との隙間に差し込んで固定されている。また、補修板の棟側端部は、当該スレート瓦とその上面側に位置するスレート瓦との隙間に差し込んで固定されている。
【０００３】
特許文献２には、横葺き屋根の谷構造に関する発明が開示されている。この発明は、横葺き屋根の谷部を覆うように、横葺き屋根の谷側端部と谷部を覆う谷キャップとを谷部上で捨て板によって結合するものである。
【先行技術文献】
【特許文献】
【０００４】
【特許文献１】実用新案登録第３１９７６４４号公報
【特許文献２】特開平９−１２５６２３号公報
【発明の概要】
【発明が解決しようとする課題】
【０００５】
傾斜方向が互いに異なる屋根同士が接続されて一つの屋根が形成される場合がある。係る屋根では、傾斜方向が互いに異なる屋根同士の境界部分には、直線状に延びる屋根の谷部が形成される。この谷部では、谷部を挟む両側からスレート瓦の端部が対向した状態となる。そのため、特許文献１の補修法を実施した場合、谷部において、複数枚の補修板の端部が棟側から軒側に並んで露出することになる。見栄えを良くするためには、各補修板の端部が棟側から軒側に直線状に揃うようにすることが望ましい。しかし、そのように端部を揃える作業は、施工現場の生産性を低下させる。
【０００６】
そこで、各補修板の端部全体を棟側から軒側に渡って直線状に形成された別の金属板（以下、谷止縁という）により被うことが考えられる。これによれば、各補修板の端部が棟側から軒側に直線状に揃っていなくても、それらの端部は谷止縁によって覆われるため、見栄えをよくすることができる。しかし、屋根の谷部の大きさに合わせて谷止縁の形状を現場で調整する必要があり、しかもこの作業を谷部に臨む両側の各補修板端部で行う必要があり、作業が煩雑で、施工現場の生産性を低下させる。
【０００７】
本発明の課題は、スレート瓦の表面に補修板を被せて平板スレート屋根の補修を行うものにおいて、屋根の谷部に臨む両側の補修板端部を、両側に跨って谷部上で谷部に沿ってカバーすることにより、簡単な作業で谷部に臨む両側の補修板端部を外から見えないようにして見栄えを良くすることにある。
【課題を解決するための手段】
【０００８】
本発明の第１発明は、棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられている平板スレート屋根の補修構造であって、スレート瓦の上に面合せで重ねて固定され、スレート瓦を覆う補修板と、前記谷部の延びる方向に交差する方向の両側で対向する前記補修板の各谷側端を覆うように前記各補修板に跨って前記谷部上で前記谷部に沿って被せられる矩形板状の谷板とを備え、前記谷板は、その軒側端部に、下面側で棟側に折り返されてスレート瓦及び前記補修板の軒側端部を包み込む矩形の折返部が形成されており、また、棟側端部に、互いに重ねられた棟側のスレート瓦の軒側端部と軒側のスレート瓦の棟側端部との隙間に挿入して固定されるように延長された矩形の延長部が形成されており、前記谷板の折返部又は前記延長部の先端側で対向する角部には、スレート瓦又は前記補修板の端部に係合する係合片を備える。
【０００９】
第１発明によれば、屋根の谷部に臨む両側の補修板の各谷側端が、両側の補修板に跨って谷部上で谷部に沿って被せられた谷板により覆われる。そのため、両側の補修板に対して一つの谷板を被せるのみの簡単な作業で谷部に臨む両側の補修板の端部を外から見えないようにして見栄えを良くすることができる。しかも、谷板の折返部又は延長部が互いに重なったスレート瓦の隙間に挿入されたとき、係合片がスレート瓦又は補修板の端部に係合して、谷板が補修板を覆った状態から容易に外れないようにすることができる。また、係合片がスレート瓦又は補修板の端部に係合することにより谷板を谷部上で谷部に沿って位置決めすることができる。なお、谷部での雨仕舞は、補修板、谷板を被せる前段階で既に行われているため、補修板、谷板を被せる段階で改めて行う必要はない。
【００１０】
本発明の第２発明は、上記第１発明において、前記補修板は、その軒側端部に、下面側で棟側に折り返されてスレート瓦の軒側端部を包み込む矩形の折返部が形成されており、前記谷板における前記折返部の先端側で対向する角部には、前記補修板の折返部の棟側端部に係合するように上面側に突出する係合片を備える。
【００１１】
第２発明によれば、谷板の折返部の係合片が補修板の折返部の端部に係合して、谷板が補修板を覆った状態から容易に外れないようにすることができる。
【００１２】
本発明の第３発明は、上記第１又は第２発明において、前記係合片は、前記谷板の折返部又は前記延長部の先端側で対向する角部を斜めに折り曲げて形成された三角形の折曲片である。
【００１３】
第３発明によれば、谷板の角部を折り曲げるのみの簡単な作業で係合片としての折曲片を形成することができる。
【００１４】
本発明の第４発明は、上記第１又は第２発明において、前記係合片は、前記谷板の折返部又は前記延長部の先端側で対向する角部を部分的に切り起こして形成された切起片である。
【００１５】
第４発明によれば、谷板の角部に切起片を形成するのみの簡単な作業で係合片を形成することができる。
【００１６】
本発明の第５発明は、棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられている平板スレート屋根の補修方法であって、スレート瓦の上にスレート瓦を覆う補修板を面合せで重ねて固定し、前記谷部の延びる方向に交差する方向の両側に位置する前記補修板の各谷側端を覆うように前記各補修板に矩形板状の谷板を跨って前記谷部上に前記谷部に沿って被せ、前記谷板の軒側端部に、下面側で棟側に折り返されて形成された矩形の折返部によりスレート瓦及び前記補修板の軒側端部を包み込み、また、棟側端部を延長して形成された矩形の延長部を、互いに重ねられた棟側のスレート瓦の軒側端部と軒側のスレート瓦の棟側端部との隙間に挿入して固定し、前記谷板の折返部又は前記延長部の先端側で対向する角部に備えた係合片を、スレート瓦又は前記補修板の端部に係合する。
【００１７】
第５発明によれば、第１発明と同様に、簡単な作業で谷部に臨む両側の補修板端部を外から見えないようにして見栄えを良くすることができる。しかも、谷板が補修板を覆った状態から容易に外れないようにすることができる。
【００１８】
本発明の第６発明は、棟側から軒側に向けて高さが漸次低くなるように傾斜した屋根に対し、傾斜方向が異なる別の屋根が接続されて一つの屋根が形成され、接続された屋根同士の境界部に直線状に延びる谷部が形成された屋根において、複数枚の平板状のスレート瓦が軒側から棟側に向けて各スレート瓦の端部の一部を面合せで重ねた状態で順次敷設され、棟側のスレート瓦は、その軒側端部が軒側のスレート瓦の棟側端部の上に重ねられており、スレート瓦の上を覆って補修板が面合せで重ねて固定されている平板スレート屋根の谷部の補修用谷板であって、前記谷部の延びる方向に交差する方向の両側で対向する前記補修板の各谷側端を覆うように前記各補修板に跨って前記谷部上で前記谷部に沿って被せられる矩形板状の谷板本体を備え、前記谷板本体は、その軒側端部に、下面側で棟側に折り返されてスレート瓦及び前記補修板の軒側端部を包み込む矩形の折返部が形成されており、また、棟側端部に、互いに重ねられた棟側のスレート瓦の軒側端部と軒側のスレート瓦の棟側端部との隙間に挿入して固定されるように延長された矩形の延長部が形成されており、前記谷板の折返部又は前記延長部の先端側で対向する角部には、スレート瓦又は前記補修板の端部に係合する係合片を備える。
【００１９】
第６発明によれば、屋根の谷部に臨む両側の補修板の谷側端を、両側の補修板に跨って谷板を被せることにより、第１発明と同様に、簡単な作業で谷部に臨む両側の補修板端部を外から見えないようにして見栄えを良くすることができる。しかも、谷板が補修板を覆った状態から容易に外れないようにすることができる。
【００２０】
上記各発明において、補修板、谷板の材料は問わない。金属、樹脂、セラミックス等を使用可能である。また、スレート瓦に対する補修板の固定法は問わない。接着、係合、ねじ止め、釘止め等を使用可能である。更に、谷板は、谷の両側で対を成す一組の補修板に対して一つ設けてもよいし、複数組の補修板に対して一つ設けてもよい。例えば、二組以上の補修板の谷側端を一つの谷板で覆うようにしてもよい。
【図面の簡単な説明】
【００２１】
【図１】スレート瓦を敷設した平板スレート屋根の一例を示す平面図である。
【図２】上記平板スレート屋根の谷部を拡大して示す斜視図である。
【図３】本発明の第１実施形態に係る補修板を上記谷部のスレート瓦に被せた状態を示す斜視図である。
【図４】本発明の第１実施形態に係る谷板を図３の谷部に被せた状態を示す斜視図である。
【図５】上記補修板の拡大斜視図である。
【図６】上記スレート瓦に上記補修板を被せた状態を示す谷部に沿う方向の断面図である。
【図７】上記谷板の拡大斜視図である。
【図８】上記谷板の拡大平面図である。
【図９】上記谷板の拡大右側面図である。
【図１０】上記谷板の拡大左側面図である。
【図１１】上記谷板の拡大棟側端面図である。
【図１２】上記谷板の拡大軒側端面図である。
【図１３】上記谷板の拡大底面図である。
【図１４】上記谷板の延長部を示す拡大斜視図である。
【図１５】本発明の第２実施形態に係る谷板の折返部を示す拡大斜視図である。
【図１６】第２実施形態に係る谷板の延長部を示す拡大斜視図である。
【図１７】第１実施形態に係る谷板が上記補修板上に被せられた状態示す谷部に沿う方向の断面図である。
【図１８】第１実施形態に係る谷板の折返部が上記補修板に係合した状態を説明する説明図である。
【図１９】第１実施形態に係る谷板の延長部が上記補修板に係合した状態を説明する説明図である。
【図２０】第２実施形態に係る谷板の折返部が上記補修板に係合した状態を説明する説明図である。
【図２１】第２実施形態に係る谷板の延長部が上記補修板に係合した状態を説明する説明図である。
【図２２】本発明の第３実施形態に係る谷板の拡大斜視図である。
【図２３】第３実施形態に係る谷板の折返部及び延長部が上記スレート瓦に係合した状態を示す拡大平面図である。
【発明を実施するための形態】
【００２２】
<第１実施形態の全体構成>
図１は、本発明の第１実施形態に適用する平板状のスレート瓦を敷設した平板スレート屋根の一例を示す。この屋根１は、切妻構造の屋根同士が互いの棟１ａを直交させた状態で接続された構造を備える。屋根１は、棟１ａ側から軒１ｂ側に向けて地上からの高さが漸次低くなるように傾斜しており、接続された屋根同士は、傾斜方向が互いに異なっている。屋根同士の境界部分には直線状に延びる谷部１ｃが形成されている。
【００２３】
屋根１には、複数枚の平板状のスレート瓦１０が敷設されている。各スレート瓦１０は、軒１ｂ側から棟１ａ側に向けて各スレート瓦１０の端部の一部を面合せで重ねた状態で順次敷設され、その結果、棟１ａ側のスレート瓦１０は、その軒側端部が軒１ｂ側のスレート瓦１０の棟側端部の上に重ねられている。屋根１の棟１ａ及び谷部１ｃには周知のとおり雨仕舞が施されている。なお、図１には、破線で家の外壁２が示されている。
【００２４】
図２は、上記谷部１ｃを部分的に拡大して示す。谷部１ｃでは、谷部の延びる方向（棟軒方向）に交差する方向（左右方向）の両側でスレート瓦１０の端部が対向している。図中、谷部１ｃを軒側から棟側に延びる方向を正面として見た場合の各方向を矢印により示している。以下の説明において、方向に関する記述は、この方向を基準として行うものとする。図２以外の図に関しても同様である。なお、ここでは図示されていないが、屋根１の面に垂直な線上で屋根下方向を「下」とし、屋根上方向を「上」とする。
【００２５】
図３は、本発明の第１実施形態としての補修板２０が、スレート瓦１０の補修のためスレート瓦１０の上に被せられた状態を示す。補修板２０の谷側端部は、スレート瓦１０の谷側端部より谷部１ｃ側に突出されている。なお、図３では、補修板２０は、スレート瓦１０の軒側から３列目までにのみ被せられ、４列目のスレート瓦１０には被せられていない。これは補修板２０が被せられることによる状況の変化を判り易く示すためであって、実際には、補修板２０は必要箇所全てに区別なく被せられる。
【００２６】
図４は、本発明の第１実施形態としての矩形板状の谷板３０が、図３の補修板２０の上に被せられた状態を示す。詳細には、谷板３０は、谷部１ｃの延びる方向（棟軒方向）に交差する方向（左右方向）の両側で対向する補修板２０の各谷側端を覆うように左右の補修板２０に跨って谷部１ｃ上で谷部１ｃに沿って被せられている。ここでは、左右１組の補修板２０に対して１枚の谷板３０が被せられている。
【００２７】
<第１実施形態に係る補修板２０>
図５は、上記補修板２０を拡大して示す。補修板２０は、ガルバリウム鋼板（登録商標）のような鋼板製であり、軒側端部が下面側で棟側に折り返されて折返部２１が形成されている。また、補修板２０は、棟側端部に、互いに重ねられた棟側のスレート瓦１０の軒側端部と軒側のスレート瓦１０の棟側端部との隙間に挿入して固定されるように延長された延長部２２が形成されている。補修板２０は、図６のように、屋根１上でスレート瓦１０上に被せられており、その際、折返部２１がスレート瓦１０の軒側からスレート瓦１０の下面に挿入されている。補修板２０は、スレート瓦１０の１枚毎に１枚ずつの大きさとされてもよいが、左右方向に複数枚のスレート瓦１０に対して１枚の大きさとされてもよい。補修板２０は、スレート瓦１０の表面に接着剤にて接着固定されている。勿論、釘により屋根１面に打ち付けて固定してもよいし、他の方法を用いてもよい。
【００２８】
<第１実施形態に係る谷板３０>
図７〜１４は、上記谷板３０を拡大して示す。谷板３０は、補修板２０と同様に、ガルバリウム鋼板（登録商標）のような鋼板製であり、谷板本体３６の軒側端部が下面側で棟側に折り返されて折返部３１が形成されている。また、谷板本体３６には、棟側端部に、互いに重ねられた棟側のスレート瓦１０の軒側端部と軒側のスレート瓦１０の棟側端部との隙間に挿入して固定されるように延長された延長部３２が形成されている。谷板本体３６は、その全体が折返部３１及び延長部３２も含めて矩形形状とされている。
【００２９】
谷板本体３６は、左右方向の両端部がヘミング加工されて曲端部３４とされている。これは谷板本体３６の棟軒方向の曲げ強度を高めると同時に、左右端部に鋼板の鋭利な切断面が出ないようにするためである。曲端部３４は、必要に応じて形成されればよい。また、折返部３１及び延長部３２の棟側先端で左右方向で対向する角部には、斜めに折り曲げられて三角形の折曲片３３（本発明の係合片に相当）が形成されている。折返部３１の折曲片３３は、三角形の先端が上向きに形成され、延長部３２の折曲片３３は、三角形の先端が下向きに形成されている。なお、折曲片３３は、折返部３１若しくは延長部３２のいずれか一方に設けられるのみでもよい。
【００３０】
<第１実施形態に係る補修板２０に対する谷板３０の係合>
図１７〜１９は、谷部１ｃ上で左右の補修板２０に跨って谷板３０が被せられ、補修板２０の端部に係合した状態を示す。図１７、１８のように、谷板３０の折返部３１の左右の折曲片３３は、補修板２０の折返部２１の棟側端部に係合している。また、図１７、１９のように、谷板３０の延長部３２の左右の折曲片３３は、補修板２０の延長部２２の棟側端部に係合している。折返部３１及び延長部３２の各折曲片３３は、屋根１の谷部１ｃを挟んで左右に対向配置された補修板２０の折返部２１及び延長部２２の各棟側端部に係合しているため、谷板３０が補修板２０の上に被せられた状態から外れないのは勿論のこと、棟軒方向の各谷板３０が谷部１ｃに沿って揃った状態に並ぶように位置決めすることができる。
【００３１】
<第２実施形態>
図１５、１６は、本発明の第２実施形態を示す。第２実施形態が第１実施形態に対して特徴とする点は、係合片（折曲片３３）を切起片３５とした点である。その他の点は、第２実施形態においても第１実施形態と同一であり、同一部分についての再度の説明は省略する。
【００３２】
図１５、１６のように、第１実施形態における折曲片３３と同様、切起片３５は、谷板３０の折返部３１及び延長部３２の棟側先端で左右方向に対向する角部にそれぞれ形成されている。具体的には、上記角部の左右方向端部が切り込まれ、その切り込みより先端側片部が上側に起こし上げられて切起片３５がそれぞれ形成されている。
【００３３】
図２０、２１は、谷板３０の折返部３１の切起片３５が補修板２０の折返部２１の棟側端部に係合している状態、並びに延長部３２の切起片３５が補修板２０の延長部２２の棟側端部に係合している状態を示す。切起片３５も、第１実施形態における折曲片３３と同様に機能し、谷板３０が補修板２０の上に被せられた状態から外れないのは勿論のこと、棟軒方向の各谷板３０が谷部１ｃに沿って揃った状態に並ぶように位置決めすることができる。但し、切起片３５の場合は、切起片３５の片部が補修板２０の各棟側端部に対して交差して形成されているため、谷板３０が軒方向にずり落ちるのを防止する効果を、第１実施形態の折曲片３３に比べて高めることができる。なお、切起片３５は、折返部３１若しくは延長部３２のいずれか一方に設けられるのみでもよい。
【００３４】
<第３実施形態>
図２２、２３は、本発明の第３実施形態を示す。第３実施形態が第１実施形態に対して特徴とする点は、谷板３０ａの折曲片３３ａ（係合片）を補修板２０ではなくスレート瓦１０の端部に係合させた点である。その他の点は、第３実施形態においても第１実施形態と同一であり、同一部分についての再度の説明は省略する。
【００３５】
図２２のように、谷板３０ａの折曲片３３ａをスレート瓦１０の端部に係合させるため、谷板本体３６ａにおける折返部３１ａ及び延長部３２ａの棟軒方向寸法を、軒側のスレート瓦１０の棟側端部、及び棟側スレート瓦１０の棟側端部の各位置に対応するように形成している。その上で、折返部３１ａの棟側先端に左右方向で対向する角部に形成される折曲片３３ａを下側に向けて折り曲げたものとしている。延長部３２ａの棟側先端に左右方向で対向する角部に形成される折曲片３３ａ、並びに曲端部３４ａについては、第１実施形態における谷板３０の折曲片３３及び曲端部３４と同様である。
【００３６】
図２３のように、谷板３０ａの折返部３１ａの各折曲片３３ａは、谷板３０ａの折返部３１ａより下側に位置する左右のスレート瓦１０の棟側端部に係合する。また、谷板３０ａの延長部３２ａの各折曲片３３ａは、谷板３０ａの延長部３２ａより下側に位置する左右のスレート瓦１０の棟側端部に係合する。このように各折曲片３３ａがスレート瓦１０の棟側端部に係合することによって、谷板３０ａが補修板２０の上に被せられた状態から外れないのは勿論のこと、棟軒方向の各谷板３０ａが谷部１ｃに沿って揃った状態に並ぶようにすることができる。なお、図２３では、図面を判り易くするため、補修板２０の図示を省略している。また、折曲片３３ａは、折返部３１ａ若しくは延長部３２ａのいずれか一方に設けられるのみでもよい。更に、折曲片３３ａは、第２実施形態と同様の切起片３５に変更してもよい。
【００３７】
<他の実施形態>
以上、特定の実施形態について説明したが、本発明は、それらの外観、構成に限定されず、種々の変更、追加、削除が可能である。例えば、上記実施形態では、切妻屋根の谷部に本発明を適用した例を示したが、本発明は、切妻屋根に限定されず、寄棟屋根など各種構造の屋根の谷部に適用可能である。
【符号の説明】
【００３８】
１      屋根
１ａ    棟
１ｂ    軒
１ｃ    谷部
２      外壁
１０    スレート瓦
２０    補修板
２１    折返部
２２    延長部
３０、３０ａ  谷板
３１、３１ａ  折返部
３２、３２ａ  延長部
３３、３３ａ  折曲片（係合片）
３４、３４ａ  曲端部
３５    切起片（係合片）
３６、３６ａ  谷板本体
【図１】
2020200615.tif 000003
【図２】
2020200615.tif 000004
【図３】
2020200615.tif 000005
【図４】
2020200615.tif 000006
【図５】
2020200615.tif 000007
【図６】
2020200615.tif 000008
【図７】
2020200615.tif 000009
【図８】
2020200615.tif 000010
【図９】
2020200615.tif 000011
【図１０】
2020200615.tif 000012
【図１１】
2020200615.tif 000013
【図１２】
2020200615.tif 000014
【図１３】
2020200615.tif 000015
【図１４】
2020200615.tif 000016
【図１５】
2020200615.tif 000017
【図１６】
2020200615.tif 000018
【図１７】
2020200615.tif 000019
【図１８】
2020200615.tif 000020
【図１９】
2020200615.tif 000021
【図２０】
2020200615.tif 000022
【図２１】
2020200615.tif 000023
【図２２】
2020200615.tif 000024
【図２３】
2020200615.tif 000025